(57)【要約】【課題】【解決手段】生体信号制御されるメカニズムのためのモジュール式ユーザ交換可能アクセサリ。いくつかの実施形態において、バイオセンサおよびフィードバックメカニズムが開示されている。いくつかの実施形態において、生体信号制御されるメカニズムのためのモジュール式ユーザ交換可能アクセサリは、バイオセンサを用いて生体信号を検出することと、生体信号制御されるメカニズム用のモジュール式ユーザ交換可能アクセサリに制御信号を送信することと、を含む。いくつかの実施形態において、バイオセンサは、ヘッドセットに接続され、モジュール式ユーザ交換可能アクセサリは、ヘッドセットに取り付け可能である。いくつかの実施形態において、モジュール式ユーザ交換可能アクセサリは、動物の耳に似せた形状である。【選択図】図１
2015515292.tif 000002
【特許請求の範囲】
【請求項１】
生体信号制御されるメカニズム用のモジュール式ユーザ交換可能アクセサリのためのシステムであって、
生体信号を検出するためのバイオセンサと、
プロセッサであって、
前記バイオセンサを用いて検出された生体信号を受信し、
生体信号制御されるメカニズム用のモジュール式ユーザ交換可能アクセサリに制御信号を送信するよう構成されたプロセッサと、
前記プロセッサに接続され、前記プロセッサに命令を供給するよう構成されたメモリと、を備える、システム。
【請求項２】
請求項１に記載のシステムであって、さらに、
サーボモータを含むモータハウジングを備える、システム。
【請求項３】
請求項１に記載のシステムであって、さらに、
サーボモータを含むモータハウジングを備え、前記サーボモータは、処理された生体信号を解釈するために前記制御信号を受信する、システム。
【請求項４】
請求項１に記載のシステムであって、さらに、
サーボモータを含むモータハウジングを備え、前記サーボモータは、処理された生体信号を解釈するために前記制御信号を受信し、０度から１１０度までの円弧状に１つの軸を中心に回転する、システム。
【請求項５】
請求項１に記載のシステムであって、さらに、
サーボモータを含むモータハウジングを備え、前記サーボモータは、処理された生体信号を解釈するために前記制御信号を受信し、ユーザの決定された心理状態に対応する動きで反応する、システム。
【請求項６】
請求項１に記載のシステムであって、前記バイオセンサは、ヘッドセットに接続されている、システム。
【請求項７】
請求項１に記載のシステムであって、前記バイオセンサは、ヘッドセットに接続され、前記モジュール式ユーザ交換可能アクセサリは、前記ヘッドセットに取り付け可能である、システム。
【請求項８】
請求項１に記載のシステムであって、前記バイオセンサは、ヘッドセットに接続され、前記モジュール式ユーザ交換可能アクセサリは、前記ヘッドセットに取り付け可能であり、動物の耳に似せた形状である、システム。
【請求項９】
請求項１に記載のシステムであって、前記バイオセンサは、脳波（ＥＥＧ）センサを備える、システム。
【請求項１０】
請求項１に記載のシステムであって、前記バイオセンサは、ＥＥＧセンサを備え、前記ＥＥＧセンサは、ステンレス鋼製のパッシブ乾式バイオセンサを含む、システム。
【請求項１１】
請求項１に記載のシステムであって、前記バイオセンサは、ＥＥＧセンサを備え、前記ＥＥＧセンサは、額上のＦＰ１位置からＥＥＧデータを収集するステンレス鋼製のパッシブ乾式バイオセンサを含む、システム。
【請求項１２】
請求項１に記載のシステムであって、前記バイオセンサは、眼電図（ＥＯＧ）センサを備える、システム。
【請求項１３】
請求項１に記載のシステムであって、前記バイオセンサは、心電図（ＥＣＧ）センサを備える、システム。
【請求項１４】
請求項１に記載のシステムであって、前記バイオセンサは、筋電図（ＥＭＧ）センサを備える、システム。
【請求項１５】
請求項１に記載のシステムであって、前記バイオセンサは、電気皮膚反応（ＧＳＲ）センサを備える、システム。
【請求項１６】
請求項１に記載のシステムであって、前記バイオセンサは、音声および／または身体運動を検出するための１または複数のセンサを備える、システム。
【請求項１７】
請求項１に記載のシステムであって、前記バイオセンサは、体温を検出するための１または複数のセンサを備える、システム。
【請求項１８】
請求項１に記載のシステムであって、前記生体信号は、ＥＥＧ信号を含み、前記ＥＥＧ信号は、ユーザが集中状態にあるかリラックス状態にあるかを判定するために処理される、システム。
【請求項１９】
生体信号制御されるメカニズム用のモジュール式ユーザ交換可能アクセサリのための方法であって、
バイオセンサを用いて生体信号を検出する工程と、
生体信号制御されるメカニズム用のモジュール式ユーザ交換可能アクセサリに制御信号を送信する工程と、
を備え、
前記モジュール式ユーザ交換可能アクセサリは、ヘッドセットに取り付け可能である、方法。
【請求項２０】
生体信号制御されるメカニズム用のモジュール式ユーザ交換可能アクセサリのためのシステムであって、
プロセッサであって、
バイオセンサから生体信号を受信し、
生体信号制御されるメカニズム用のモジュール式ユーザ交換可能アクセサリに制御信号を送信するよう構成されたプロセッサと、
前記プロセッサに接続され、前記プロセッサに命令を供給するよう構成されたメモリと、
を備える、システム。
【発明の詳細な説明】
【技術分野】
【０００１】
［他の出願の相互参照］
本願は、２０１２年３月７日出願の米国仮特許出願第６１／６０７，９５５号（代理人整理番号ＮＥＵＲＰ０１７＋）「ＭＯＤＵＬＡＲ  ＵＳＥＲ−ＥＸＣＨＡＮＧＥＡＢＬＥ  ＡＣＣＥＳＳＯＲＹ  ＦＯＲ  ＢＩＯ−ＳＩＧＮＡＬ  ＣＯＮＴＲＯＬＬＥＤ  ＭＥＣＨＡＮＩＳＭ」の優先権を主張する。この出願は、参照により全ての目的のために本明細書に組み込まれる。
【背景技術】
【０００２】
バイオセンサ（例えば、バイオセンサチップ）が存在し、様々な製品カテゴリで生体信号機能を可能にするために用いることができる。例えば、かかるバイオセンサ技術を用いるための消費者製品が開発されている。
【図面の簡単な説明】
【０００３】
以下の詳細な説明と添付の図面において、本発明の様々な実施形態を開示する。
【０００４】
【図Ａ】いくつかの実施形態に従って、生体信号データが取得され、フィードバックメカニズムによって解釈され、モジュール式アクセサリによって修飾される様子と、アクセサリが取り付けられる様子とを示す概略図。
【０００５】
【図１】いくつかの実施形態に従って、ＥＥＧセンサを用いて、ユーザが、ユーザの心理状態の随意調節を通して装飾的な猫耳の動きを制御することを可能にするシステムの全体設計を示す図。
【０００６】
【図２】いくつかの実施形態に従って、生体信号データを動きで解釈するフィードバックメカニズムおよびアクセサリを示す図。
【０００７】
【図３】いくつかの実施形態に従って、生体信号データを光で解釈するフィードバックメカニズムおよびアクセサリを示す図。
【０００８】
【図４】いくつかの実施形態に従って、生体信号装置と電気接続し、自身の電気的および物理的設計に基づいて生体信号データを解釈するフィードバックメカニズムおよびアクセサリを示す図。
【０００９】
【図５】いくつかの実施形態に従って、バイオセンサを含むモジュール式アクセサリと組み合わせたフィードバックメカニズムを示す図。
【００１０】
【図６】いくつかの実施形態に従って、バイオセンサ装置から物理的に離れたフィードバックメカニズムおよびアクセサリを示す図。
【００１１】
【図７】いくつかの実施形態に従って、ＥＭＧまたはビデオセンサでユーザの顔の表情を検出する、ならびに／もしくは、ＥＭＧまたは加速度計で身体運動を検出するシステムを示す図。
【００１２】
【図８】いくつかの実施形態に従って、音声認識を用いて、ユーザ着脱可能なアクセサリのフィードバック挙動を修飾するシステムを示す図。
【００１３】
【図９】いくつかの実施形態に従って、バイオセンサ装置なしに生体信号情報の表示を模倣するフィードバックメカニズムを備えたシステムを示す図。
【発明を実施するための形態】
【００１４】
本発明は、処理、装置、システム、物質の組成、コンピュータ読み取り可能な格納媒体上に具現化されたコンピュータプログラム製品、および／または、プロセッサ（プロセッサに接続されたメモリに格納および／またはそのメモリによって提供される命令を実行するよう構成されたプロセッサ）を含め、様々な形態で実施されうる。本明細書では、これらの実施例または本発明が取りうる任意の他の形態を、技術と呼ぶ。一般に、開示された処理の工程の順序は、本発明の範囲内で変更されてもよい。特に言及しない限り、タスクを実行するよう構成されるものとして記載されたプロセッサまたはメモリなどの構成要素は、ある時間にタスクを実行するよう一時的に構成された一般的な構成要素として、または、タスクを実行するよう製造された特定の構成要素として実装されてよい。本明細書で用いられているように、「プロセッサ」という用語は、１または複数のデバイス、回路、および／または、コンピュータプログラム命令などのデータを処理するよう構成された処理コアを指すものとする。
【００１５】
以下では、本発明の原理を示す図面を参照しつつ、本発明の１または複数の実施形態の詳細な説明を行う。本発明は、かかる実施形態に関連して説明されているが、どの実施形態にも限定されない。本発明の範囲は、特許請求の範囲によってのみ限定されるものであり、多くの代替物、変形物、および、等価物を含む。以下の説明では、本発明の完全な理解を提供するために、多くの具体的な詳細事項が記載されている。これらの詳細事項は、例示を目的としたものであり、本発明は、これらの具体的な詳細事項の一部または全てがなくとも特許請求の範囲に従って実施可能である。簡単のために、本発明に関連する技術分野で周知の技術事項については、本発明が必要以上にわかりにくくならないように、詳細には説明していない。
【００１６】
いくつかの実施形態において、バイオセンサおよびフィードバックメカニズムが開示されている。例えば、物理的なフィードバックメカニズムの動作を駆動できるバイオセンサ技術を利用すると共に、ユーザインターフェース、娯楽的な価値、行動訓練、および／または、その他の利益も提供できる様々な製品が提供されている。
【００１７】
特に、ユーザが、生体信号フィードバックに応答して制御または操作されうる可動要素を製品用に設計された別のアクセサリと交換する、もしくは、有意義に生体信号の相互作用体験を変更することを可能にするためのソリューションが求められている。したがって、生体信号制御されるメカニズムのためのモジュール式ユーザ交換可能アクセサリを、いくつかの実施形態に従って開示する。
【００１８】
例えば、生体信号フィードバックメカニズムの単純および簡単なユーザカスタマイズを容易にするソリューションで、生体信号データの幅広い利用法および個々のユーザの工業製品の好みに対応することにより、生体信号フィードバックメカニズムを用いた様々な製品の物理インターフェースの柔軟性および多用途性を大いに強化できる。
【００１９】
いくつかの実施形態において、バイオセンサ装置は、血液オキシメトリ、心電図（ＥＣＧ）、脳波（ＥＥＧ）、筋電図（ＥＭＧ）、眼電図（ＥＯＧ）、電気皮膚反応（ＧＳＲ）などの様々なタイプの電気生体信号を検出できるセンサ、および、温度センサ（例えば、皮膚温または体温を測定するためのセンサ）を含む。例えば、かかる信号は、直接利用されてもよいし、バイオフィードバックで用いられる前に、心拍数、脳波、筋活動、視標追跡、および／または、その他の社会生理学的状態などの測定値にさらに処理されてもよい。
【００２０】
いくつかの実施形態において、バイオセンサ装置は、加速度計を用いた身体運動、画像センサまたはＥＭＧセンサを用いた顔の表情、および／または、画像センサを用いたジェスチャ認識など、動きの生体信号を捕らえることができるセンサを含む。例えば、これらの信号は、直接的に利用されてもよいし、生体信号フィードバックで用いられる前に、頭の方向、感情の状態、グループ内での梱包順、または、その他の社会生理学的状態などの測定値にさらに処理されてもよい。
【００２１】
いくつかの実施形態において、バイオセンサ装置は、心音、足音、鼓腸、声、および／または、音声センサを通した身体運動のノイズなどの音声生体信号を捕らえることができるセンサを含む。例えば、これらの信号は、直接的に利用されてもよいし、生体信号フィードバックで用いられる前に、認識された単語、アクセント、流暢さ、感情の状態、および／または、その他の社会生理学的状態などの測定値にさらに処理されてもよい。
【００２２】
いくつかの実施形態において、社会生理学的情報は、動き、音声、光、振動、および／または、その他のフィードバックメカニズムなど、他者および／またはユーザが直接観察できる形態で表示される。例えば、機能的および／または美的な目的で観察者にとってのフィードバックの見え方を修飾するために、着脱可能または交換可能な表示アクセサリをフィードバックメカニズムに取り付けることができる。ユーザは、フィードバックメカニズムもバイオセンサ装置も分解することなしに、容易に修飾アクセサリを着脱できる。いくつかの実施形態において、４つの主要な構成要素を含む生体信号制御されたメカニズムのためのモジュール式ユーザ交換可能アクセサリが開示されている。いくつかの実施形態において、生体信号制御されたメカニズムのためのモジュール式ユーザ交換可能アクセサリは、以下の主要な構成要素を備える：１または複数のバイオセンサ、生体信号処理ユニット、アクセサリ取り付けポイントを備えたフィードバックメカニズム、および、フィードバックメカニズムにしっかりと付くように設計されたモジュール式アクセサリ。例えば、バイオセンサおよび生体信号ユニットは、製品の構造内に一体化されてもよいし、アクセサリ上に配置されてもよい。本明細書に記載の様々な実施形態に照らせば、様々な他の構成が、当業者にとって明らかになる。
【００２３】
バイオセンシング装置は、ユーザからの生体信号を検知するために、ユーザの近くまたはユーザに接触して配置または装着されうる。その後、ユーザは、バイオセンシング装置と相互作用する。ユーザがバイオセンサとどのように接触するのか、および、接触するか否かは、具体的なセンサ構成、および、収集されるデータの種類に依存する。例えば、ＥＥＧデータを収集するユーザは、いくつかの乾式センサを頭部に取り付ける必要がありえ、また、ＥＣＧデータを収集するには、ユーザは、容量センサ（例えば、非接触センサ）を胸部に押しつける必要がありうる。生体信号情報が取得された後、その情報は、フィードバックメカニズムを用いて、例えば、動き、音声、光、振動、または、その他の観察可能なフィードバックとして表示または表現されうる。このフィードバックは、バイオセンシング製品および／またはアクセサリの特徴でありうる。例えば、アクセサリは、フィードバックが機能的および／または美的にどのように提示されるのかを修飾しうる。
【００２４】
図Ａは、システムの全体設計を示す。ユーザ（１０１）が、頭部またはその他の身体部位からＥＣＧ、ＥＥＧ、ＥＭＧ、および／または、ＥＯＧデータを収集するバイオセンサ装置（１０２）を装着している。生体信号データは、メカニズム（１０３）によって観察可能なフィードバックの形態に解釈される。メカニズムに取り付けまたは相互作用するよう設計されたアクセサリ（１０４）が、機能的または純粋に美的に生体信号表現の提示に影響を与える。異なる機能、効果、または、スタイルを備えた様々なアクセサリ（１０５）が、同じ取り付け方式に適用されてよい。ユーザは、最小の努力または技能でアクセサリを着脱できる。バイオセンサ装置およびフィードバックメカニズムは、概念を明確に示すために人間の頭部に図示されているが、この位置に限定されない。
【００２５】
図１は、いくつかの実施形態に従って、ＥＥＧセンサを用いて、ユーザが、ユーザの心理状態の随意調節を通して装飾的な猫耳の動きを制御することを可能にするシステムの全体設計を示す。いくつかの実施形態において、装置は、ユーザの心理状態の無意識の変化にも反応する。ユーザ（１０１）は、額上のＦＰ１位置からＥＥＧデータを収集するステンレス鋼製のパッシブ乾式バイオセンサ（１０２）を備えたヘッドセットを装着している。ＥＥＧデータは、ヘッドセット内のバイオセンサモジュールおよびモータ制御モジュールによって解釈され、それらのモジュールは、２つのサーボモータ（１０３）の動きを駆動する。サーボモータは、０度から１１０度までの円弧状に１つの軸を中心に回転する。ＥＥＧアルゴリズムによって決定されたユーザの心理状態により、サーボモータが円弧に沿ってどの位置（１０５、１０６）に移動するのかが決まる。例えば、ＥＥＧアルゴリズムは、ユーザが、主観的に集中した状態にあるのか、主観的にリラックスした状態にあるのかを判定するために利用できる。サーボモータは、モータ制御モジュール上に予めプログラムされたファームウェアによって規定された特定の動きで、これらの心理状態に反応する。猫耳に似せて形作られ、サーボモータハウジングに取り付けられるよう設計されたアクセサリ（１０４）は、ＥＥＧ信号の提示およびモータの動きに美的な影響を与える。
【００２６】
いくつかの実施形態において、耳アクセサリ（１０７）は、摩擦嵌めでモータアセンブリに取り付けられる。この耳は、モータアセンブリの凸形状と対応するよう形成された空洞を持つ発泡体で構成される。２つの材料間の表面摩擦により、ユーザが、確実な取り付けおよび簡単な取り外しを行うことが可能にある。例えば、犬の耳、角、触覚、翼、象の耳、他の動物の付属器官、漫画のキャラクタの特徴、または、スポーツチームのマークなど、異なる機能、効果、または、スタイルを備えた様々なアクセサリ（１０８）が、同じ取り付け方式に適用されてよい。ユーザは、最小の努力または技能でアクセサリを着脱できる。バイオセンサ装置およびフィードバックメカニズムは、概念を明確に示すために人間の頭部に図示されているが、この位置に限定されない。血液オキシメトリ、ＥＣＧ、ＥＥＧ、ＥＭＧ、ＥＯＧ、および／または、ＧＳＲなどの生体信号を特徴とする別の実施形態も、本明細書に記載の様々な実施形態に照らして当業者にとって明らかになるように、同様の技術を利用できる。
【００２７】
図２は、いくつかの実施形態に従って、モータの動きを用いて、生体信号データを観察可能なフィードバックに解釈するシステムを示す。図に示すように、ユーザ（２０１）が、頭部またはその他の身体の部位からＥＣＧ、ＥＥＧ、ＥＭＧ、および／または、ＥＯＧデータを収集するバイオセンサ装置（２０２）を装着している。生体信号データは、モータ（２０３）によって動きに解釈される。モータハウジングに取り付けられるよう設計されたアクセサリ（１０４）は、ユーザによって決定された使用期間中、例えば、摩擦嵌め、機械的留め具、および／または、その他の確実な取り付け方法で固定される。アクセサリは、装飾的なアクセサリであり、モータで簡単に動かされてもよいし、モータの機械的エネルギを利用して別の機能を実行する独自のメカニズムを備えてもよい。ユーザは、最小の努力または技能でアクセサリを着脱できる。バイオセンサ装置およびフィードバックメカニズムは、概念を明確に示すために人間の頭部に図示されているが、この位置に限定されない。
【００２８】
図３は、いくつかの実施形態に従って、光または光のネットワークを用いて、生体信号データを観察可能なフィードバックに解釈するシステムを示す。ユーザ（３０１）が、頭部またはその他の身体部位からＥＣＧ、ＥＥＧ、ＥＭＧ、および／または、ＥＯＧデータを収集するバイオセンサ装置（３０２）を装着している。生体信号データは、光（３０３）によって明るさまたは色の変化に解釈される。光ハウジングに取り付けられるよう設計されたアクセサリ（１０４）は、ユーザによって決定された使用期間中、摩擦嵌め、機械的留め具、および／または、その他の確実な取り付け方法で固定される。アクセサリは、装飾的なアクセサリであり、単に、光をフィルタリング、拡散、または、方向付けるものであってもよいし、光の特徴（例えば、明るさ、色、方向、拡散など）をさらに修正する独自のメカニズムを備えてもよい。ユーザは、最小の努力または技能でアクセサリを着脱できる。バイオセンサ装置およびフィードバックメカニズムは、概念を明確に示すために人間の頭部に図示されているが、この位置に限定されない。
【００２９】
図４は、いくつかの実施形態に従って、生体信号データを様々な形態の観察可能なフィードバックに解釈する様々なアクセサリと通信するために物理的な電気接続（４０３）を利用するシステムを示す。ユーザ（４０１）が、頭部またはその他の身体部位からＥＣＧ、ＥＥＧ、ＥＭＧ、および／または、ＥＯＧデータを収集するバイオセンサ装置（４０２）を装着している。生体信号データは、デジタル情報に解釈され、その後、適切なアクセサリによって解釈されうる。物理的な電気接続に取り付けられるよう設計されたアクセサリは、ユーザによって決定された使用期間中、摩擦嵌め、機械的留め具、および／または、その他の確実な取り付け方法で固定される。アクセサリは、バイオセンサ装置と電気接続し、受信した生体信号データをアクセサリのデザインによって決まるフィードバック応答に解釈する。４０４で示すように、生体信号データを音声または音楽に解釈するハードウェアを備えるアクセサリが図示されている。４０５で示すように、生体信号データを光に解釈するハードウェアを備えるアクセサリが図示されている。４０６で示すように、生体信号データを動きの効果に解釈するハードウェアを備えるアクセサリが図示されている。４０７で示すように、生体信号データを、ＬＣＤ、電子ペーパー、または、同様のスクリーン技術によってデータの象徴的な表現に解釈するハードウェアを備えるアクセサリが図示されている。ユーザは、最小の努力または技能でアクセサリを着脱できる。バイオセンサ装置およびフィードバックメカニズムは、概念を明確に示すために人間の頭部に図示されているが、この位置に限定されない。
【００３０】
図５は、いくつかの実施形態に従って、バイオセンサ（５０５）を含むアクセサリに物理的取り付けポイント（５０４）を提供するシステムを示す。ユーザ（５０１）が、頭部またはその他の身体の部位からＥＣＧ、ＥＥＧ、ＥＭＧ、および／または、ＥＯＧデータを収集するバイオセンサ装置（５０５）を装着している。生体信号データは、光、音声、および／または、動きなどの観察可能なフィードバック（５０３）に解釈される。例えば、バイオセンサアタッチメントは、ユーザの生体信号またはその他の対象（５０２）を検出するために用いることができる。フィードバックメカニズム（５０３）は、バイオセンサ（５０５）が検出した生体信号データを解釈する。ユーザは、最小の努力または技能でアクセサリを着脱できる。バイオセンサ装置およびフィードバックメカニズムは、概念を明確に示すために人間の頭部に図示されているが、この位置に限定されない。
【００３１】
いくつかの実施形態において、例えば、異なる生体信号（例えば、ＥＭＧ、ＥＯＧ、ＥＥＧ、ＥＣＧ、および／または、ＧＳＲ）を検出できる複数のセンサ、または、異なる方法でそれらの生体信号を検出できる複数のセンサに、複数の取り付けポイントが提供されてもよい。例えば、これらのセンサはすべて、１または複数のユーザの生体信号を検出できる。また、複数のフィードバックメカニズムが存在してもよく、それらは、フィードバックメカニズムの電子アルゴリズムまたは物理的設計によって決定されたように、各センサからのデータまたは複数のセンサからのデータの組み合わせを見せる。１または複数のユーザは、最小の努力または技能でアクセサリを着脱できる。
【００３２】
図６は、いくつかの実施形態に従って、フィードバックメカニズム（６０４）を利用すると共に生体信号装置およびセンサから物理的に離れたシステムを示す。ユーザ（６０１）が、頭部またはその他の身体部位からＥＣＧ、ＥＥＧ、ＥＭＧ、および／または、ＥＯＧデータを収集するバイオセンサ装置（６０２）を装着している。生体信号データは、無線伝送（６０３）を通して、フィードバックメカニズム６０４に直接通信されるか、または、インターネットなどの仲介ソースを介してフィードバックメカニズムに通信される。図に示すように、ここに示したフィードバックメカニズム（６０４）は、加熱素子を備える。熱強度が、ユーザの生体信号データによって制御される。加熱素子ハウジングに取り付けられるよう設計され、熱に敏感な香りを含むアクセサリ（６０６）は、ユーザによって決定された使用期間中、熱を伝達する摩擦嵌め、機械的留め具、および／または、その他の確実な取り付け方法（６０５）で固定される。アクセサリは、ユーザの生体信号データによって駆動された熱に反応し、フィードバックメカニズムによって放出される香りとしてデータを解釈する。ユーザは、最小の努力または技能でアクセサリを着脱できる。バイオセンサ装置は、概念を明確に示すために人間の頭部に図示されているが、この位置に限定されない。
【００３３】
いくつかの実施形態において、光、音声、動き、および／または、その他の観察可能なフィードバックに生体信号情報を解釈する様々なフィードバックメカニズムが提供される。生体信号フィードバックは、モジュール式アクセサリによって修飾され、アクセサリは、最小の努力または技能でユーザによって容易に着脱される。
【００３４】
図７は、いくつかの実施形態に従って、ＥＭＧまたはビデオセンサ（７０３）でユーザの顔の表情（７０１）を検出する、ならびに／もしくは、ＥＭＧまたは加速度計（７０２）（７０５）で身体運動を検出するシステムを示す。図に示すように、ユーザにより取り外し可能なアクセサリ（７０４）は、フィードバックメカニズムに取り付けられ、フィードバックメカニズムは、動き、光、振動、および／または、その他の観察可能なフィードバックの形態で、ユーザの表情および身体運動に反応する。異なる顔の表情および／または身体運動が、アクセサリ位置（７０４）と（７０６）との対比で図示された異なる反応を引き起こす。ユーザは、最小の努力または技能でアクセサリを着脱できる。バイオセンサ装置およびフィードバックメカニズムは、概念を明確に示すために人間の頭部および手首に図示されているが、これらの位置に限定されない。
【００３５】
図８は、いくつかの実施形態に従って、音声認識を用いて、ユーザ着脱可能なアクセサリ（８０３）のフィードバック挙動を修飾するシステムを示す。ユーザ（８０１）が、音声マイク（８０２）を備えた音声認識装置を装着している。８０３で示すように、音声データを、ＬＣＤ、電子ペーパー、および／または、同様のスクリーン技術によってユーザの会話のアクセントに応じた象徴的な表現に解釈するハードウェアを備えるアクセサリが図示されている。例えば、日本語のアクセントの検出が、日本国旗（８０３）の表示を引き起こし、米国アクセントの検出が、米国旗（８０４）の表示を引き起こしうる。
【００３６】
いくつかの実施形態において、音声データを、物理的な動き、光、振動、および／または、その他の観察可能なフィードバックとして表示する様々な他のフィードバックメカニズムを提供することが可能である。ユーザは、最小の努力または技能でアクセサリを着脱できる。バイオセンサ装置およびフィードバックメカニズムは、概念を明確に示すために人間の頭部に図示されているが、この位置に限定されない。
【００３７】
図９は、いくつかの実施形態に従って、バイオセンサ装置なしに生体信号情報の表示を模倣するフィードバックメカニズムを備えたシステムを示す。ユーザ（１０１）は、生体信号データを収集しないが、機能しないバイオセンサの装飾的な模倣物を特徴としうる装置（１０２）を装着している。生体信号データは、メカニズム（１０３）によって観察可能なフィードバックに処理されない。フィードバックメカニズムは、予めプログラムされた挙動パターンまたはランダムな順番の挙動に基づいて、動き、光、音声、および／または、その他のフィードバックを表示する。いくつかの実施形態において、フィードバックは、カメラ、加速度計、ＩＲセンサ、音声マイク、別のデバイスとの通信（例えば、無線または有線）、もしくは、ＧＰＳユニットなど、生体信号以外のソースによってトリガされうる。メカニズムに取り付けまたは相互作用するよう設計されたアクセサリ（１０４）が、機能的または美的に観察可能なフィードバックの提示に影響を与える。異なる機能、効果、または、スタイルを備えた様々なアクセサリ（１０５）が、同じ取り付け方式に適用されてよい。ユーザは、最小の努力または技能でアクセサリを着脱できる。フィードバックメカニズムは、概念を明確に示すために人間の頭部に図示されているが、この位置に限定されない。
【００３８】
上述の実施形態は、理解しやすいようにいくぶん詳しく説明されているが、本発明は、提供された詳細事項に限定されるものではない。本発明を実施する多くの代替方法が存在する。開示された実施形態は、例示であり、限定を意図するものではない。
【図Ａ】
2015515292.tif 000003
【図１】
2015515292.tif 000004
【図２】
2015515292.tif 000005
【図３】
2015515292.tif 000006
【図４】
2015515292.tif 000007
【図５】
2015515292.tif 000008
【図６】
2015515292.tif 000009
【図７】
2015515292.tif 000010
【図８】
2015515292.tif 000011
【図９】
2015515292.tif 000012
【国際調査報告】
2015515292.tif 000013